(57)【特許請求の範囲】
【請求項１】
排泄物の通過を防止する防水シートと、
前記防水シートよりも着用者側に配置され、前記排泄物を吸収する吸収体と、
最も前記着用者側に配置され、液浸透性を有すると共に、前記排泄物の少なくとも軟便を前記吸収体側へ通すための通過部を有する表面シートと、
が重ねられた吸収性製品であって、
前記吸収体の存在しない不存在領域が前記吸収体によって区画され、前記吸収体の幅方向の中央部に形成されるとともに前記吸収体の着用時における前後方向について前記通過部の配置領域に対応して形成され、前記不存在領域に前記表面シートの一部が接続されており、
前記表面シートが前記吸収体から離間するように弾性力を発揮する弾性部材を前記不存在領域よりも前記幅方向の両外側に有する
ことを特徴とする吸収性製品。
【請求項２】
排泄物の通過を防止する防水シートと、
前記防水シートよりも着用者側に配置され、前記排泄物を吸収する吸収体と、
最も前記着用者側に配置され、液浸透性を有すると共に、前記排泄物の少なくとも軟便を前記吸収体側へ通すための通過部を有する表面シートと、
が重ねられた吸収性製品であって、
前記吸収体の存在しない不存在領域が前記吸収体によって区画され、前記不存在領域に前記表面シートの一部が接続されており、
前記表面シートが前記吸収体から離間するように弾性力を発揮する一対の弾性部材を前記不存在領域よりも前記吸収体の幅方向の両外側に有し、
前記通過部は、前記一対の弾性部材の間にのみ形成されている
ことを特徴とする吸収性製品。
【請求項３】
排泄物の通過を防止する防水シートと、
前記防水シートよりも着用者側に配置され、前記排泄物を吸収する吸収体と、
最も前記着用者側に配置され、液浸透性を有すると共に、前記排泄物の少なくとも軟便を前記吸収体側へ通すための通過部を有する表面シートと、
が重ねられた吸収性製品であって、
前記吸収体の存在しない不存在領域が前記吸収体によって区画され、前記不存在領域に前記表面シートの一部が接続されており、
前記表面シートが前記吸収体から離間するように弾性力を発揮する弾性部材を前記不存在領域よりも前記幅方向の両外側に有し、
前記表面シートと前記吸収体との間には、部分的に前記表面シートと前記吸収体とを繋ぐようにした複数の連結部が設けられている
ことを特徴とする吸収性製品。
【発明の詳細な説明】
【技術分野】
【０００１】
本発明は排泄物を保持可能な吸収性製品に関する。
【背景技術】
【０００２】
従来の失禁用や乳幼児用の吸収性製品には、パンツと同様な形状をしたパンツ式やテープでパンツの形状に組み立てて使用するテープ式等の使い捨ておむつ、或いは、パンツの中に配置して使用される尿取りパッド等がある。
特許文献１は、この吸収性製品のおむつ例であり、その第２図及び第５図に示されるように、使用者の股側に軟便の透過が可能な透孔５Ａを有する表面シート５と、外側に排泄物の透過を防止する不透液性シート１と、表面シート５と不透液性シート１とで挟まれ、表面シート５から透過してきた排泄物を吸収する吸収性ポリマー等からなる吸収体３とを有している。
【０００３】
そして、この特許文献１の表面シート５は、着用時に弾性伸縮部材７の収縮力によって、幅方向の両端部が立ち上がり、これにより、表面シート５と吸収体３の上の透液性シート２との間には空間Pが形成され、この空間Ｐに軟便が収容可能とされている。
また、表面シート５は、幅方向の中央部が吸収体３の上の透液性シート２に接続され、これにより、表面シート５に付着した小便を吸収体３に導いて、表面シート５の湿潤した感触を可及的に回避するようにしている。
かくして、特許文献１のおむつでは、軟便については空間Ｐに収容し、そして、小便については吸収体３に移動し、軟便と小便を問わずに、身体への付着を防止している。
【先行技術文献】
【特許文献】
【０００４】
【特許文献１】特開平２−２７４２５０号公報
【発明の概要】
【発明が解決しようとする課題】
【０００５】
ところで、基本的に吸収体３自体は複数回の排泄量を吸収できる能力を有しており、通常（特に就寝中等では）、おむつは１回の排泄で捨てるのではなく、複数回の排泄を１枚のおむつで済ませることが多い。そうすると、例えば１回目の小便などの体液を吸収して吸収体３が膨張すると、吸収体３に接続された表面シート５は持ち上がって身体に近づく。このため、透孔５Ａが閉じて、その後の使用において、軟便等が空間Ｐに移動できずに身体に付着し易くなることが分かった。また、表面シート５が身体側に持ち上ると、表面シート５が肌に触れ易くなり、表面シート５に付着した小便などの排泄物が身体に触れてしまう。
なお、このような表面シート５の透孔５Ａの閉鎖や肌への接触により排泄物が身体に触れるという問題は、１回の排泄で捨てるおむつであっても生じ得る問題であり、例えば、排泄物の量が多かったり、１回の排泄で小便をした後に大便をしたりした場合などでも生じ得る。
そこで、本発明は、排泄物が身体に触れることを可及的に回避して、排泄後の気持ち悪さやスキントラブルを回避できる吸収性製品を提供することを目的とする。
【課題を解決するための手段】
【０００６】
上記課題は、排泄物の通過を防止する防水シートと、前記防水シートよりも着用者側に配置され、前記排泄物を吸収する吸収体と、最も前記着用者側に配置され、液浸透性を有すると共に、前記排泄物の少なくとも軟便を前記吸収体側へ通すための通過部を有する表面シートと、が重ねられた吸収性製品であって、前記吸収体の存在しない不存在領域が前記吸収体によって区画され、前記吸収体の幅方向の中央部に形成されるとともに前記吸収体の着用時における前後方向について前記通過部の配置領域に対応して形成され、前記不存在領域に前記表面シートの一部が接続されており、前記表面シートが前記吸収体から離間するように弾性力を発揮する弾性部材を前記不存在領域よりも前記幅方向の両外側に有する吸収性製品により解決される。
【０００７】
本発明によれば、排泄物の通過を防止する防水シートと、防水シートよりも着用者側に配置され、排泄物を吸収する吸収体とを有している。従って、小便等の排泄物を吸収体まで移動することが出来れば、排泄物は吸収体で保持されると共に、防水シートにより衣類側に付着することを防止できる。
また、最も着用者側に配置され、少なくとも軟便を吸収体側へ通すための通過部を有する表面シートは、吸収体から離間するように弾性力を発揮する弾性部材を有している。このため、弾性部材により表面シートと吸収体との間には空間が形成され、軟便は通過部を通ってこの空間に収容され、軟便と着用者とを表面シートで仕切りながら、収容した軟便を吸収体で吸収していくことができる。また、小便も表面シートの通過部を通るなどして、吸収体に吸収可能である。
ここで、吸収体の存在しない不存在領域が吸収体によって区画されている。また、不存在領域は、吸収体の幅方向の中央部に形成されるとともに、吸収体の着用時における前後方向について通過部の配置領域に対応して形成されている。この不存在領域に表面シートの一部が接続され、かつ、上述した表面シートを吸収体から離間させる弾性部材は不存在領域よりも幅方向の両外側に配置されている。そうすると、表面シートは、幅方向の両外側にある弾性部材の部分が最も股間側に配置され、不存在領域に接続された表面シートの一部が最も外側（股間とは反対側）に配置されることとなる。従って、表面シートについては、基本的に弾性部材の周辺以外の領域は股間に接触し難くなる。
さらに、この表面シートが接続されている不存在領域は、吸収体の幅方向の中央部において通過部の配置領域（装着した際において、少なくとも股間部から肛門部に至る領域、及びその周辺領域）に対応して形成され、吸収体の存在しない領域、例えば、吸収体に形成した孔（貫通孔）や切り欠きから露出した防水シート（防水シートの上に接続された他の部材を含む）の領域、或いは、吸収体を熱圧着してもはや吸収体ではなくなった領域である。そうすると、吸収体に小便や軟便が付着して膨張したとしても、吸収体の幅方向の中央部において通過部の配置領域（装着した際において、少なくとも股間部から肛門部に至る領域、及びその周辺領域）に対応して形成された不存在領域には吸収体が存在せずに膨張しないため、吸収体の幅方向の中央部における股間部から肛門部に至る領域の表面シートが股間に近づくことを防止できる。また、表面シートの最も股間側にある弾性部材の部分と最も外側にある不存在領域に接続された一部との位置差は略変わらないため、通過部が閉じることも有効に防止できる。従って、例えば、１枚のおむつを複数回の排泄に使用したり、１回の排泄量が多かったりした場合であっても、排泄物が身体に触れることを可及的に回避できる。
上記課題は、排泄物の通過を防止する防水シートと、前記防水シートよりも着用者側に配置され、前記排泄物を吸収する吸収体と、最も前記着用者側に配置され、液浸透性を有すると共に、前記排泄物の少なくとも軟便を前記吸収体側へ通すための通過部を有する表面シートと、が重ねられた吸収性製品であって、前記吸収体の存在しない不存在領域が前記吸収体によって区画され、前記不存在領域に前記表面シートの一部が接続されており、前記表面シートが前記吸収体から離間するように弾性力を発揮する一対の弾性部材を前記不存在領域よりも前記吸収体の幅方向の両外側に有し、前記通過部は、前記一対の弾性部材の間にのみ形成されていることを特徴とする吸収性製品により解決される。
本発明によれば、通過部が一対の弾性部材の間にのみ形成されているため、上記効果に加えて、吸収性製品を谷折りすることで、表面シートの弾性部材よりも幅方向の外側の部分が中央部に比べて肌に近くなっても、表面シートと吸収体との間の空間にいったん収容された軟便などの排泄物が弾性部材よりも外側の部分を通じて肌側に逆戻りする事態を防止できる。
【００１２】
上記課題は、排泄物の通過を防止する防水シートと、前記防水シートよりも着用者側に配置され、前記排泄物を吸収する吸収体と、最も前記着用者側に配置され、液浸透性を有すると共に、前記排泄物の少なくとも軟便を前記吸収体側へ通すための通過部を有する表面シートと、が重ねられた吸収性製品であって、前記吸収体の存在しない不存在領域が前記吸収体によって区画され、前記不存在領域に前記表面シートの一部が接続されており、前記表面シートが前記吸収体から離間するように弾性力を発揮する弾性部材を前記不存在領域よりも前記幅方向の両外側に有し、前記表面シートと前記吸収体との間には、部分的に前記表面シートと前記吸収体とを繋ぐようにした複数の連結部が設けられていることを特徴とする吸収性製品により解決される。
本発明によれば、部分的に表面シートと吸収体とを繋ぐようにした複数の連結部が表面シートと吸収体との間に設けられているため、上記効果に加えて、表面シートの通過部を通らずに付着して残った体液を、連結部を介して吸収体に積極的に導くことができる。また、この連結部は表面シートと吸収体とを部分的に繋ぐものであり、このため、表面シートと吸収体との間の空間を完全に塞いでしまうこともなく、表面シートと吸収体との間の空間に軟便を移動させる機能を阻害することもない。
なお、本発明の連結部は、表面シートと吸収体とを直接的に繋ぐものに限られるものではなく、間接的に繋ぐものも含まれる。例えば、吸収体の着用者側の表面を覆う部材があれば、この部材と表面シートとを連結部で繋いでも構わない。
【発明の効果】
【００１３】
以上、本発明は、排泄物が身体に触れることを可及的に回避して、排泄後の気持ち悪さやスキントラブルを回避できる吸収性製品を提供することができる。
【図面の簡単な説明】
【００１４】
【図１】本発明の第１実施形態に係る吸収性製品の斜視図。
【図２】本発明の第１実施形態に係る吸収性製品の平面図。
【図３】図１の概略Ａ−Ａ断面図。
【図４】図１の吸収性製品の装着方法を示す図であり、図３の断面図に対応した図。
【図５】本発明の第１実施形態に係る吸収性製品の第１変形例であり、図２に対応した平面図。
【図６】本発明の第１実施形態に係る吸収性製品の第２変形例であり、図２に対応した平面図。
【図７】本発明の第１実施形態に係る吸収性製品の第３変形例であり、図２に対応した平面図。
【図８】図７の吸収性製品を装着して、図７のＢ−Ｂ位置で切断した場合の概略断面図。
【図９】本発明の第１実施形態に係る吸収性製品の第４変形例であり、図２に対応した平面図。
【図１０】本発明の第１実施形態に係る吸収性製品の第５変形例であり、表面シートと不存在領域との接続部分を拡大した概略部分縦断面図。
【図１１】本発明の第２実施形態に係る吸収性製品の概略斜視図。
【図１２】図１１の吸収性製品を装着して、図１１のＣ−Ｃ位置で切断した場合の概略断面図。
【図１３】図１１の概略Ｄ−Ｄ断面図。
【発明を実施するための形態】
【００１５】
以下に、本発明の好ましい実施形態を、図面を参照して詳しく説明する。
なお、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
また、以下の図において、同一の符号を付した箇所は同様の構成である。
また、以下の説明において、特段の説明がない限り、「前後方向」は吸収性製品を装着した際の着用者の下腹部と股間部と臀部とを結ぶ方向を、「左右方向」は吸収性製品を装着した際の着用者の左右方向（右脚と左脚とを結ぶ方向）を意味する。
【００１６】
〔第１実施形態〕
先ず、本発明の第１実施形態に係る吸収性製品１０を図１〜図４を用いて説明する。
なお、図１は吸収性製品１０が湾曲した状態であり、理解の便宜のため、後述する表面シート２０と不存在領域３０との接続部分を平行斜線で示している。図２は図１の吸収性製品１０を伸ばし広げてから平面視した図であり、図１と同様、表面シート２０と不存在領域３０との接続部分を平行斜線で示している。図３の一点鎖線で囲った図は表面シート２０と不存在領域３０との接続部分における変形例を示す拡大図である。図４では、表面シート２０の周縁部２０Ａの固定態様を図３とは変えて図示している。
【００１７】
図１〜図４の吸収性製品１０は、本発明の好適な例として、パンツの中に敷いて用いられる失禁用の尿便パッド（「失禁用パッド」とも言う）の例を示しているが、本発明の吸収性製品は、失禁用に限られるものではなく、乳幼児用おしめとしても用いることができる。また、パンツの中に敷く形式ではなく、おしめ自体がパンツ形状をしたパンツ式、またはテープでパンツの形状に組み立てて使用するテープ式等の使い捨ておむつ等として用いることができる。
【００１８】
図１及び図２に示すように、吸収性製品１０は広げた際、全体的に扁平で瓢箪のような形状をしており、一方向（図のＹ方向）に長い。この長手方向Ｙは、装着状態における着用者の前後方向に対応している。吸収性製品１０は、着用者の下腹部側から股間部を通って臀部側に装着され、長手方向Ｙの両端部１０ａ，１０ｂが、パンツの中で着用者の胴回り又は胴回りに近接した位置まで配置される。
また、吸収性製品１０は、この長手方向Ｙに直交する幅方向（短手方向）Ｘにおいて、着用者の左右方向に沿って装着される。
図２に示すように、吸収性製品１０は、この幅方向Ｘの寸法が長手方向Ｙの中央部付近において短くなることで、吸収性製品１０には縮幅部１２が形成されている。縮幅部１２は股間部に装着される部分である。
この縮幅部１２は長手方向Ｙの中央ではなく、やや位置がずれており、縮幅部１２から臀部側の端部１０ｂまでの距離Ｌ１は、縮幅部１２から下腹部側の端部１０ａまでの距離Ｌ２に比べて長い。縮幅部１２から臀部側の端部１０ｂまでの形状、及び、縮幅部１２から下腹部側の端部１０ａまでの形状は、それぞれ概ね円形状である。なお、幅方向Ｘについて、吸収性製品１０は左右対称である。
【００１９】
図１及び図２に示す吸収性製品１０は、長手方向Ｙに沿って、肌側に起立する一対のサイドギャザー１４，１４を有している。サイドギャザー１４は、幅方向Ｘから排泄物が漏れる所謂横漏れを防止するための起立部である。具体的には、図１及び図３に示すように、吸収性製品１０の幅方向Ｘの両端部に接続された防水性のあるサイドシート１５の自由端部１５ａに、長手方向Ｙに沿って合成ゴム等の弾性材１６が伸長した状態で接続したものである。この一対のサイドギャザー１４，１４間の寸法が股間部の左右方向の寸法に対応しており、吸収性製品１０を装着すると、弾性材１６の収縮力でサイドシート１５が起立した状態になり、自由端部１５ａが股間部と内腿の付け根付近との間位に当たって、所謂横漏れを防止できる。
【００２０】
本実施形態の吸収性製品１０は男性用であり、陰茎を挿入できる切り込み部３７を有している。切り込み部３７は、装着した際に最も肌側となる表面シート２０に形成されており、長手方向Ｙと幅方向Ｘで交差する十字状である。この切り込み部３７の周辺は陰茎を挿入するための内側空間を有する袋状であり、当該内側空間には吸収体１９が存在し、挿入した陰茎からの小便を吸収可能としている。表面シート２０や吸収体１９については後で詳細に説明する。なお、この切り込み部３７については、複数の小さな切込みを断続的に配列してなる切断可能なミシン目にし、男性が使用する場合に当該ミシン目が切断されることで、吸収性製品１０を男性用と女性用を兼ねた製品にしてもよい。
【００２１】
このような吸収性製品１０は、図３に示すように、複数層からなっており、外側（パンツ側）に露出する防水シート１８と、この防水シート１８よりも着用者ＵＳ側の吸収体１９と、最も着用者ＵＳ側（肌側）に配置された表面シート２０とが重ねられている。
防水シート１８は、着用者ＵＳの排泄物の通過を防止して、服の汚れ等を防止するための部材であり、バックシートとも呼ばれる。防水シート１８は周知の材料を利用でき、可撓性を備えた材質、例えば薄いプラスチックフィルムにより作られている。具体的に、防水シート１８は、ポリエチレンフィルムやポリエチレンラミネート紙等が使用でき、好ましくは、微多孔性防水樹脂フィルム等の不透性ではあるが透湿性を有する素材を用いるとよい。
【００２２】
吸収体１９は、排泄物を吸収して保持する部材であり、防水シート１８にホットメルト等で貼着して重合されている。この吸収体１９は、吸収した液体の保持性が高く、比較的厚みが薄く嵩張らない形態とされるのが好ましい。このような吸収体１９としては、例えばパルプに吸収材であるポリマーを混合したり、パルプにポリマーを散布したりして形成するパルプ吸収体、さらにパルプ等によるシート材間にポリマーを高密度に配置してシート状としたポリマーシート等が使用できる。
なお、吸収体１９は、図２に示すように、平面視が瓢箪型又は砂時計型をしており、臀部側が下腹部側に比べて大きな面積を有している。
【００２３】
図３の吸収体１９はティッシュ１７に包まれて、その形状が保持され、外部に晒されることが防がれている。ティッシュ１７には、液体等を吸収する柔らかい材質、たとえばパルプ、レーヨン、コットン、ケナフ、バガス、シルク、親水処理をした繊維（ポリオレフィン系、ポリエステル、アクリル）などを単一又は複合してシート化したものを用いることができる。
【００２４】
さらに、本実施形態では、ティッシュ１７を被覆するカバーシート（このカバーシートは表面シート２０が存在しない吸収性製品では、表面材又はトップシートとも呼ばれる）２１が設けられている。このカバーシート２１は、体液の浸透が可能な部材であり、例えば、不織布や微細な孔を有するポリエチレンシートの上下を不織布で挟んだもの等を用いることができる。
図の場合、カバーシート２１は、吸収体１９を包囲するティッシュ１７をさらに包囲するのではなく、吸収体１９及びティッシュ１７をカバーシート２１と防水シート１８とで挟むように配置されている。
【００２５】
表面シート２０はシート状であり、図３に示すように、着用者ＵＳの肌と吸収体１９との間に所要の空間Ｓを形成して、当該空間Ｓと着用者ＵＳの肌とを空間的に区分けする役割を有する。
本実施形態の表面シート２０は不織布から形成されている。不織布には公知なものが利用でき、例えば、合成樹脂を繊維化した熱融着性繊維（例えば、ＰＥＴ／ＰＥ，ＰＰ／ＰＥ，ＰＥＴ／ＥＰ，ＰＰ／ＥＰ）をサーマルボンド法やスパンボンド法等でバインダーを使わずに融着して形成される。このような不織布は、起毛立ちし難くい材料であることから使用者の肌に触れる材料として好適に使用できると共に、吸収体１９側に排泄物を透過させることができる。この不織布は、液透過性を有すると共に液浸透性も有する。
【００２６】
図３に示す表面シート２０は、少なくとも股間部の領域において、吸収体１９から図のＺ方向に離間するように（図の場合、吸収体１９を包むティッシュ１７を被覆するカバーシート２１の部分から離間するように）弾性力を発揮する弾性部材２８を有している。弾性部材２８は、吸収性製品１０を広げた図２の状態では強いテンションがかかるのに対して、吸収性製品１０を着用者の股間部の前後方向の湾曲に合わせて湾曲させた場合、テンションが緩んで収縮するだけで、他の部材と同様には湾曲しないようになっている。
図３に示すように、弾性部材２８は表面シート２０の部分２０Ｃに被覆されて接続され、これにより、テンションが緩んだ装着状態において、表面シート２０の部分２０Ｃを肌側に持ち上げて、表面シート２０と吸収体１９との間には、排泄物を一時又は常時収容するための空間Ｓが形成される。
また、図２に示すように、弾性部材２８は長手方向Ｙに沿って配置されている。また、図３に示すように、弾性部材２８は、幅方向Ｘについて、表面シート２０の中央部２０Ｄを間に挟んで両外側に設けられて一対とされ、かつ、吸収体１９の上方に配置されている。このようにして、股間部における表面シート２０は、幅方向Ｘについて、中央部２０Ｄよりも両外側の部分２０Ｃ，２０Ｃが肌側に持ち上げられている。
なお、本発明の弾性部材２８の配置や数はこれに限られるものではなく、例えば幅方向Ｘの配置について、中央部２０Ｄを間に挟んで左右それぞれ２本ずつでも構わない。また、弾性部材２８の材料はサイドギャザー１４の弾性材１６と同様であってもよいし、異なっていてもよい。
【００２７】
以上のようにして所要の空間Ｓを形成した表面シート２０は、肌に対する接触を出来るだけ防止すると共に、付着した小便などの体液を吸収体１９に直ぐに移動させるため、カバーシート２１と接続されている（表面シート２０とカバーシート２１との接続については後述する）。
具体的には、装着状態における表面シート２０は、幅方向Ｘの中央部２０Ｄが防水シート１８側に向かって垂下してカバーシート２１と接続され、この中央部２０Ｄが表面シート２０の最も外側とされている。そうすると、吸収性製品１０には、一対の弾性部材２８，２８の間に、防水シート１８側に窪んだ窪み部６８が形成され、この窪み部６８により、少なくとも肛門付近や女性の外尿道口部付近などの肌と表面シート２０とが接触しなくなる。また、図３に示すように、表面シート２０は、股間部の領域における幅方向Ｘの縦断面は概ねＭ字状とされ、これにより、表面シート２０の肌に触れる部分は、基本的に弾性部材２８の周辺のみとなる。そして、表面シート２０に付着した小便などの体液は、カバーシート２１を介して吸収体１９に移動される。
【００２８】
この表面シート２０は、図１及び図３に示すように、少なくとも軟便を吸収体１９側、即ち空間Ｓに通すための複数の通過部２５を有している。従って、着用者が排泄した軟便は、この通過部２５を通って空間Ｓに移動し、空間Ｓに軟便を収容してから、これを吸収体１９で吸収していくことができ、その間、軟便と肌とを表面シート２０で仕切って、吸収体１９で素早く吸収できない軟便であっても、着用者の肌を汚してしまう事態を抑制できる。
【００２９】
本実施形態の各通過部２５は、吸収性製品１０を広げ伸ばした図２の状態では、長手方向Ｙに沿ったスリット状であるが、装着状態における表面シート２０は、弾性部材２８の部分が最も肌側に、中央部２０Ｄが最も外側に配置されるため、この長手方向Ｙに沿ったスリット状の通過部２５は、装着状態では図１に示すように幅方向Ｘに広がって、所定の大きさに開口する孔となる。この広がった孔の大きさは、軟便だけではなく小便も空間Ｓ側に移動でき、また、大便が大きく硬くない限り、空間Ｓ側に移動できる大きさとされる。
図２のスリット状の通過部２５の長さＬ３は、一般的な大人用の失禁パッドを想定して約４ｃｍとされている。このような長さＬ３を有する通過部２５は、股間部に対応した領域の全体に満遍なく配置されるように複数列となっている。図２の場合、長手方向Ｙについて互いに隣接する通過部２５同士の間隔Ｌ４は、通過部２５の長さＬ３の約１／８の約０．５ｃｍである。
なお、本発明において、通過部２５の寸法・互いの間隔・数・形状・配置は、本実施形態に限られるものではなく、吸収性製品の男女別・サイズ・用途などによって変えても勿論構わない。
【００３０】
また、通過部２５は、表面シート２０における一対の弾性部材２８，２８の間に形成されるのが好ましく、これにより、図３に示すように、窪み部６８に排出された排泄物については、直ぐに通過部２５を通って空間Ｓに移動させることができる。より好ましくは、通過部２５は、表面シート２０における一対の弾性部材２８，２８の間にのみ形成されるとよい。これにより、図４に示すように吸収性製品１０を谷折りすることで、表面シート２０の弾性部材２８よりも幅方向Ｘの外側の部分２０Ｂが中央部に比べて肌に近くなっても、いったん空間Ｓに収容された軟便などの排泄物が部分２０Ｂを通じて肌側に逆戻りする事態を防止できる。
【００３１】
ここで、図１〜図３に示すように、平面視において（より具体的には、防水シート１８、吸収体１９、表面シート２０が重ねられた層方向であり、図３のＺ方向から見て）、吸収体１９が存在しない不存在領域３０が吸収体１９により区画されている。この「吸収体１９が存在しない不存在領域３０」とは、吸収体１９に期待する吸収力を発揮できない領域を意味し、例えば、排泄物を略吸収しないために、排泄時に層方向Ｚ（図３のＺ方向）への膨張が規制された領域である。また、「吸収体１９により区画されている」とは、平面視において（より具体的には、層方向Ｚ（図３のＺ方向）から見て）、吸収体１９に囲まれた位置に形成されていること、又は吸収体１９に挟まれた位置に形成されていることを意味する。そして、平面視において（より具体的には、層方向Ｚから見て）この不存在領域３０に表面シート２０の一部、図の場合は幅方向Ｘの中央部２０Ｄが接続されている。
この不存在領域３０は主に２つの機能を発揮するものであり、一つ目は表面シート２０が肌に触れる事態を有効に防止する機能であり、二つ目は通過部２５の開口状態を維持する機能である。即ち、もし表面シート２０が吸収体１９（図３の場合、吸収体１９を包むティッシュ１７の部分１７Ｂを被覆するカバーシート２１の部分２１Ｂ）に接続されていると、吸収体１９の体液吸収による膨張に伴って、表面シート２０が持ち上がって肌に触れ易くなると共に、表面シート２０の最も肌側の弾性部材２８と最も外側の中央部２０Ｄとの位置差が小さくなって通過部２５の孔の開口具合も小さくなり、軟便等が通過部２５を通過し難くなる。そこで、吸収体１９が膨張しても、肌側の弾性部材２８と表面シート２０の外側の中央部２０Ｄとの位置差を維持できるように、吸収体１９が配置される領域の一部分に層方向Ｚ（図３のＺ方向）に膨張しない部分を形成して、そこに表面シート２０を接続するようにした。
【００３２】
不存在領域３０は、例えば、吸収体１９、ティッシュ１７、及びカバーシート２１を、その層方向に一体的に熱圧着して膨張しないようにして形成し、もはや吸収体１９ではなくなった領域とすることができる。即ち、このように吸収体１９を熱圧着して形成された部分は、もはや期待した排泄物の吸収力を発揮することが困難であるため、吸収体が存在しない不存在領域３０とすることができる。
好ましくは、不存在領域３０は、図３に示すように、防水シート１８側が露出するようにした吸収体１９の孔（或いは、後述する図６のような切り欠き）から形成し、このような孔や切り欠きから露出した防水シート１８（防水シート１８の上に接続された他の部材を含む）の領域とするのが良い。これにより確実に吸収体１９の層方向の膨張を防止できる。
さらに、図３に示すように不存在領域３０を吸収体１９に形成した孔（貫通孔）から形成することで、吸収体１９にはその孔の内側面１９Ｆが形成される。この内側面１９Ｆの面積は当該孔の平面積より大きく、その分、吸収体１９の表面積が増加して、吸収速度を向上させることができる。しかも、不存在領域３０を孔から構成すると、吸収体１９の上面が所謂ゲルブロッキング状態（液体成分の吸収により膨張したポリマー成分が液体成分の吸収体１９の内部への侵入を阻止する状態）になっても、ゲルブロッキング状態になっていない内側面１９Ｆから体液を吸収することができる。これにより、吸収能力を十分に活用するのが困難であった吸収体１９の底面側１９Ｄを活用して吸収体１９の吸収力を高めることもできる。
【００３３】
本実施形態の場合、不存在領域３０は、図１及び図２に示すように、吸収体１９の幅方向Ｘの中央部に形成されると共に、長手方向（吸収体の着用時における前後方向）Ｙに延伸して形成された細長い長孔からなっている。これにより、図４に示すように、吸収性製品１０を装着する際、長手方向Ｙに曲げ易い不存在領域３０が下側となるように手ＨＤで谷折りして装着できる。従って、表面シート２０は、身体に接触する弾性部材２８の周辺２０Ｃと不存在領域３０に接続した中央部２０Ｄとの位置差が大きくなり、通過部２５を構成する孔の所要の開口具合を維持し易くなる。そして、不存在領域３０の位置で谷折りをして、幅方向Ｘの寸法を小さくすることで、脚を開きにくいが故に吸収性製品１０を適切に装着するのが難しい着用者に対しても、吸収性製品１０を適切に装着することができる。
また、不存在領域３０は、図２に示すように、長手方向Ｙの寸法Ｌ５を、概ね通過部２５が配置された領域（装着した際において、少なくとも股間部から肛門部に至る領域、及びその周辺領域）に対応した寸法としている。
また、不存在領域３０の幅方向Ｘの寸法Ｗ１は１０〜３０ｍｍが適当であり、１５〜２０ｍｍであるとより好しい。
【００３４】
そして、図３に示すように、不存在領域３０を形成する孔により露出した防水シート１８側には（この孔の内側底部には）、液浸透性のある浸透性部材３３が不存在領域３０を構成するものとして吸収体１９に繋がるようにして配置され、この浸透性部材３３に表面シート２０の中央部２０Ｄが接続されている。
具体的には、吸収体１９に孔を形成すると、通常は防水シート１８が露出するが、本実施形態では、ティッシュ１７の一部１７Ａをこの露出した防水シート１８の上に延伸させ、さらに、カバーシート２１の一部２１Ａをティッシュ１７の一部１７Ａの上に延伸させている。これら重合した防水シート１８、ティッシュ１７のうち吸収体１９を包んでいない一部１７Ａ、カバーシート２１のうち吸収体１９を被覆していない一部２１Ａは、好ましくは熱圧着して接続固定されている。このようなティッシュ１７及びカバーシート２１の夫々の一部１７Ａ，２１Ａが浸透性部材３３であり、層方向Ｚ（図３のＺ方向）から見てカバーシート２１の一部２１Ａが不存在領域３０を構成している。このようにして、浸透性部材３３は、吸収体１９を包むティッシュ１７の部分１７Ｂ、及び、この部分１７Ｂを被覆するカバーシート２１の部分２１Ｂを介して、吸収体１９に繋がっている。そして、このカバーシート２１の一部２１Ａと表面シート２０の中央部２０Ｄとを接続固定している。この接続方法は、浸透性部材３３における体液の浸透性を阻害しないように熱圧着で接続するのが好ましい。
【００３５】
かくして、表面シート２０に付着した体液は、その中央部２０Ｄから浸透性部材３３（カバーシート２１の一部２１Ａ及びティッシュの一部１７Ａ）を介して、吸収体１９の全周から効率よく吸収体１９に移動される。
そして、吸収体１９が膨張したとしても、表面シート２０は吸収体１９（これを包むティッシュ１７の部分１７Ｂ、及び、この部分１７Ｂを被覆するカバーシート２１の部分２１Ｂを含む）には接続されていないので、吸収体１９の膨張により、弾性部材２８と中央部２０Ｄとの位置差が小さくなることは略ない。
なお、表面シート２０の中央部２０Ｄはカバーシート２１の一部２１Ａに接続されているが、この一部２１Ａは吸収体１９を覆うカバーシート２１の部分２１Ｂに繋がっている。このため、吸収体１９が膨張すると、カバーシート２１を介して表面シート２０が肌側に持ち上がるという影響が考えられる。しかし、本実施形態のカバーシート２１の部分２１Ｂは、寸法的に多少余裕を持たせて吸収体１９の上のティッシュの部分１７Ｂに被せてあるし、少なくとも幅方向Ｘに伸縮性も有している。また、浸透性部材３３は防水シート１８に固定されている。従って、吸収体１９が膨張したとしても、カバーシート２１を介する中央部２０Ｄへの影響は殆どない。
【００３６】
また、表面シート２０の周縁部２０Ａについても吸収体１９には直接接続されていない。例えば、図３に示す幅方向Ｘの周縁部２０Ａは、防水シート１８の上に固定されたカバーシート２１（カバーシート２１のティッシュ１７を被覆していない部分）を介して防水シート１８に固定されると共に、サイドシート１５に接続されている。なお、表面シート２０の周縁部２０Ａについては、本発明は図３の態様に限られるものではく、例えば、図４に示すようにサイドシート１５に接続されなくてもよい。また、長手方向Ｙの周縁部２０Ａついては（図１参照）、吸収体１９を被覆していないカバーシート２１の部分を介して防水シート１８に接続されている。
【００３７】
本第１実施形態に係る吸収性製品１０は以上のように構成され、図３に示すように、吸収体１９が存在しない不存在領域３０が吸収体１９に囲まれた位置に形成され、この不存在領域３０に表面シート２０の一部である幅方向の中央部２０Ｄが接続され、かつ、装着時に吸収体１９から離間する弾性部材２８が幅方向Ｘの中央部２０Ｄよりも両外側に設けられている。そうすると一対のサイドギャザー１４，１４の間において、表面シート２０は幅方向Ｘの縦断面が略Ｍ字のような形状となり、基本的に弾性部材２８の周辺の部分２０Ｃのみが股間に密着するようになる。そして、排泄物により吸収体１９が膨張しても、表面シート２０が股間に近づいたり、通過部２５が閉じたりする事態を可及的に防止できる。
なお、本発明はこのような態様に限られず、図３の一点鎖線で囲った図に示すように、ティッシュ１７やカバーシート２１を不存在領域３０における防水シート１８の上まで延伸させずに、防水シート１８の上に全く別の不織布３５を固定して、吸収体１９に形成した孔により露出した不織布３５を不存在領域３０を構成するものとし、そこに表面シートの中央部２０Ｄを接続してもよい。
【００３８】
〔第１実施形態の第１変形例〕
次に、上述した第１実施形態の第１変形例について、図５を用いて説明する。
図５は当該第１変形例に係る吸収性製品９０であり、図２に対応した平面図である。なお、図５では、上述したサイドギャザー１４や弾性部材２８などを省略している。
この吸収性製品９０が図１〜図４の吸収性製品１０と異なるのは、不存在領域４０の構成である。即ち、図５の吸収性製品９０は、吸収体１９に囲まれた位置に複数の不存在領域（吸収体１９が存在しない領域）４０が形成され、各不存在領域４０が図２に比べて短い長方形状の孔からなり、この短い孔からなる不存在領域４０が着用時における前後方向（長手方向Ｙ）に沿って断続的に配置されている。なお、不存在領域４０が幅方向Ｘの中央部に配置され、長手方向Ｙについて、通過部２５が配置された領域（装着した際において、少なくとも、股間部から肛門部に至る領域、及びその周辺領域）に対応して配置されていることは、図２と同様である。
【００３９】
このように比較的短い長方形状の孔からなる不存在領域４０を断続的に配置した場合であっても、図１〜図４と同様に、吸収体１９の膨張に際して、表面シート２０の最も肌側の弾性部材２８と最も外側の中央部２０Ｄとの所要の位置差を維持して、表面シート２０が股間に近づいたり、通過部２５が閉じたりする事態を防止できる。
そして、図５に示す断続的な不存在領域４０を形成することにより、その不存在領域４０が連なった長手方向Ｙの縦断面は凹凸状となる。従って、この凹凸状により軟便の長手方向Ｙへの流れが阻害され、幅の狭い縮幅部１２に軟便が勢いよく流れ込む等の事態を防止することができる。また、不存在領域４０を断続的にすることで、不存在領域４０を形成することで減る吸収体１９の量を可及的に抑えることができる。
【００４０】
〔第１実施形態の第２変形例〕
次に、上述した第１実施形態の第２変形例について、図６を用いて説明する。
図６は当該第２変形例に係る吸収性製品９１であり、図２に対応した平面図である。なお、図６では、上述したサイドギャザー１４や弾性部材２８などを省略している。
図６の吸収性製品９１が図１〜図４の吸収性製品１０と異なるのは、不存在領域４２の構成である。即ち、図６の不存在領域４２は、幅方向Ｘで吸収体１９を完全に分離するような孔又は切り欠きからなり、吸収体１９によって挟まれた位置に形成されている。なお、この吸収性製品９１は、図１等に示す切り込み部３７が設けられていないため、好ましくは女性用として使用される。
このような態様の吸収性製品９１であっても、図１〜図４と同様の作用効果を発揮する。また、不存在領域４２が幅方向Ｘで吸収体１９を完全に分離させているため、この薄い不存在領域４２の位置で図４に示すような谷折りをより容易に行うことができる。なお、図６の不存在領域４２は図１〜図４に比べて大きくなるため、吸収体１９の平面積は減少するが、その分、吸収体１９の厚みを大きくして、所要の吸収量を確保すればよい。
【００４１】
〔第１実施形態の第３変形例〕
次に、上述した第１実施形態の第３変形例について、図７及び図８を用いて説明する。
図７は当該第３変形例に係る吸収性製品９２であり、図２に対応した平面図である。図８は図７の吸収性製品９２を装着して、図７のＢ−Ｂ位置で切断した場合の断面図である。なお、図７では、上述したサイドギャザー１４などを省略している。また、図８では上述したティッシュ１７を省略している。
図７及び図８の吸収性製品９２が図１〜図４の吸収性製品１０と主に異なるのは、不存在領域４４の構成である。即ち、これら図の不存在領域４４は、幅方向Ｘの中央ＣＬを挟んで両外側に配置されて二列となっている。この両外側の夫々の不存在領域４４は、図１〜図４で説明した不存在領域３０と同様に、長手方向Ｙについては通過部２５が配置された領域に対応して連続して形成された長細い寸法とされているが、幅方向Ｘの寸法Ｗ２は図２に示す不存在領域３０の寸法Ｗ１に比べて小さい。このように寸法Ｗ２が比較的小さくても、２カ所の不存在領域４４，４４の部分で表面シート２０は接続されているため、表面シート２０が不存在領域４４から外れてしまう恐れは低い。
【００４２】
そして、一対の不存在領域４４，４４に挟まれた領域（幅方向Ｘの中央）には吸収体１９Ａが存在する。この中央の吸収体１９Ａは、その両脇の吸収体１９Ｂ，１９Ｃに比べて小さい。
また、中央ＣＬの吸収体１９Ａ（具体的には、吸収体１９Ａを覆うカバーシート２１）の上には、表面シート２０の部分２０Ｅが配置されている。この吸収体１９Ａと部分２０Ｅとは互いに固定しないのが好ましく、これにより、吸収体１９Ａの膨張により、表面シート２０の接続部分である中央部２０Ｄが不存在領域４４から外れてしまう事態を防止できる。
なお、図７では、表面シート２０に形成される通過部２５は、不存在領域４４と弾性部材２８との間に配置され、不存在領域４４，４４同士の間には配置されていない。
【００４３】
本第３変形例は以上のように構成され、このため、着用者の着座時や股を窄めた時などにおいて、吸収性製品９２の着用感を阻害するような変形を抑制することができる。即ち、図２のように不存在領域３０が幅方向Ｘの中央部にあり、さらに、表面シート２０との接続強度を確保するためその幅Ｗ１を大きくすると、不存在領域３０は吸収体１９が存在しない薄い部分であるため、着座時等において、例えば、図３に示す不存在領域３０より幅方向Ｘの片側の吸収体１９−１がもう一方の片側の吸収体１９−２の上に重なったりして、着用感悪化の恐れがある。しかし、本第３変形例では、図８に示すように、幅方向Ｘの中央（股の幅方向の中央の直下）には吸収体１９Ａが存在し、しかも、各不存在領域４４の幅Ｗ２は小さいため、そのような不要な変形を防止することができ、良好な着用感を得ることができる。
【００４４】
〔第１実施形態の第４変形例〕
次に、上述した第１実施形態の第４変形例について、図９を用いて説明する。
図９は当該第４変形例に係る吸収性製品９３であり、図２に対応した平面図である。なお、図９では、上述したサイドギャザー１４や弾性部材２８などを省略している。
図９の吸収性製品９３の不存在領域４５は、図８の吸収性製品９２と同様に二列４５−１，４５−２とされているが、各列が図８に比べて短い長方形状の孔４５ａを前後方向（長手方向Ｙ）に沿って断続的に配列することで、吸収体１９に囲まれた位置に形成されている。さらに、この複数の孔４５ａは、列４５？１，４５？２によって長手方向Ｙにおける位置が異なっており、全体的にジグザグに配置されている。
従って、図１〜図４、図６〜図８に示すような長手方向Ｙに延伸して形成された長孔からなる不存在領域３０，４２，４４だと、そこに接続された表面シート２０のうち一カ所が不存在領域３０，４２，４４から外れてしまうと、その外れた箇所を契機に連続的に外れてしまう恐れがあるが、図９に示すようにジグザグに複数の孔４５ａを配置することで、そのような連続的な外れの恐れを防止することができる。
【００４５】
〔第１実施形態の第５変形例〕
次に、上述した第１実施形態の第５変形例について、図１０を用いて説明する。
図１０は当該第５変形例に係る吸収性製品９４であり、表面シート２０と不存在領域４６との接続部分を拡大した概略部分縦断面図である。
図１０の吸収性製品９４が図１〜図４の吸収性製品１０と主に異なるのは、不存在領域４６を形成するための孔や切り欠きについての構成である。即ち、図１０の吸収体１９の厚みＨ２は、図３の吸収体１９の厚みＨ１に比べて大きく形成され、これにより、吸収体１９に孔や切り欠きからなる不存在領域４６を形成して吸収体１９の平面積が減少した分、吸収体１９の量を確保している。
そして、この不存在領域４６を形成するための孔や切り欠きについては、その開口部周縁５３が防水シート１８側に向かって傾斜する傾斜面とされていることを特徴とする。
【００４６】
本第５変形例は以上のように構成され、吸収体１９の上側（図１０の網掛けで示す部分）が膨潤して、それ以上体液を吸収しにくい所謂ゲルブロッキング状態になった場合、例えば小便は開口部周縁５３の傾斜面を重力の作用により滑って不存在領域４６に入り易くなる。従って、不存在領域４６により多くの排泄物を導いて、未だゲルブロッキング状態になっていない吸収体１９の底面側１９Ｄから小便等を吸収することができ、そして、このように吸収体１９を全体的に活用できるので、吸収性製品９４の外部へ排泄物が流出する事態をより一層防止できる。さらに、開口部周縁５３が傾斜面であると、吸収体１９の厚みＨ２が大きくても、不存在領域４６を形成するための孔や切り欠きの中に熱圧着機などの機器を挿入し易くなり、表面シート２０と不存在領域４６（具体的には不存在領域４６である孔や切り欠きの内側底部を構成するカバーシートの一部２１Ａ）との接続作業が行い易くもなる。
【００４７】
〔第２実施形態〕
次に、本発明の第２実施形態について、図１１〜図１３を用いて説明する。
図１１は当該第２実施形態に係る吸収性製品９５の概略斜視図、図１２はその吸収性製品９５を装着して、図１１のＣ−Ｃ位置で切断した場合の概略断面図、図１３は図１１の概略Ｄ−Ｄ断面図である。なお、図１３では上述したティッシュを省略してある。
これらの図の吸収性製品９５が図１〜図４の吸収性製品１０と異なるのは、表面シート２０と吸収体１９とを繋ぐ部材を設けた点である。即ち、図１２及び図１３に示すように、吸収性製品９５の空間Ｓには、表面シート２０と吸収体１９との間に、排泄物の液体（即ち、体液）が浸透可能な部材であって、部分的に表面シート２０と吸収体１９とを繋ぐようにした複数の連結部５０を有している。従って、表面シート２０に付着した体液の吸収体１９への移動を阻害する要因となる空間Ｓがあっても、排泄後に表面シート２０に付着した体液を連結部５０を介して吸収体１９に導くことができる。
なお、この連結部５０は表面シート２０と吸収体１９とを部分的に繋ぐため、空間Ｓの軟便に対する収容量を著しく阻害することもない。
【００４８】
連結部５０は、表面シート２０と同様の薄い不織布であり、好ましくは、表面シート２０に比べて繊維密度の高い不織布がよく、これにより、表面シート２０に付着した尿を、相対的に繊維密度の高い連結部５０により、毛細管現象で吸収体１９側に積極的に導くことができる。
このような材質の連結部５０は、表面シート２０側については、図１１及び図１２に示すように、通過部２５を避けるようにして通過部２５，２５同士の間の部分２０Ｆに、吸収体１９側についてはカバーシート２１に、それぞれ接続されている。連結部５０を形成するに当たっては、図示していないが、一例として、表面シート２０を全体的に複数層にして、所定の部分の上層と下層を除いて熱圧着し、当該熱圧着していない下層の部分をカバーシート２１に接続すると、当該熱圧着していない下層を連結部５０とすることができる。
【００４９】
この点、図１２及び図１３に示すように、連結部５０は、層方向（防水シート１８、吸収体１９、表面シート２０が重なっている方向）Ｚに折り返すことなく形成された壁状とされている。図１２及び図１３の場合、表面シート２０の下面から吸収体１９の上面に向かう間の連結部５０の態様については、複数の連結部５０の夫々が独立した壁状であり、その壁面は略ストレートとされている。従って、層方向Ｚについては、連結部５０に軟便が引っかかることはなく、軟便を吸収体１９に円滑に移動することができる。
【００５０】
このような壁状の連結部５０は、図１１及び図１２に示すように前後方向Ｙに断続的に配置され、図１２に示すように、空間Ｓの前後方向Ｙを複数に仕切って、複数の空間Ｓ１，Ｓ２，Ｓ３，Ｓ４を形成するようになっている。具体的には、連結部５０は、空間Ｓの内、少なくとも最も幅の狭い股間部の直下にある空間（縮幅部１２に存在する空間）Ｓ２，Ｓ３とその他の空間Ｓ１，Ｓ４とを、前後方向Ｙで仕切っている。これにより、肛門部ＡＮの直下の空間Ｓ１に軟便を収容できるにもかかわらず、軟便が勢いよく排泄されて、股間部の幅の狭く小さな空間Ｓ２，Ｓ３に軟便が流入してくることを可及的に防止し、また、陰茎ＰＥから小便が勢いよく排泄された場合も、当該空間Ｓ２，Ｓ３に小便が不要に流入して、股間部の幅の狭い部分から外部に排泄物が漏れる事態を有効に防止できる。
なお、図１２では、吸収が遅いために小便に比べて大きな空間を必要とする軟便に対応して、肛門部ＡＮの直下にある空間Ｓ１は他の空間Ｓ２，Ｓ３，Ｓ４に比べて大きく形成されている。
【００５１】
また、上記空間Ｓの前後方向Ｙを連結部５０で仕切っている態様には、前後方向Ｙにおいて空間Ｓを完全に仕切らない態様も含まれ、好ましくは、図１３に示すように、連結部５０は、空間Ｓの前後方向Ｙに排泄物が移動するための流路４９を有するように、空間Ｓ１，Ｓ２，Ｓ３，Ｓ４を完全に遮蔽しないように形成するのがよい。これにより、図１２の複数の空間Ｓ１，Ｓ２，Ｓ３，Ｓ４は図１３に示すような流路４９を介して連通し、例えば、軟便の量が多く、空間Ｓ１だけでは収容しきれない場合があっても、当該空間Ｓ１よりも前方の空間Ｓ２に流路４９を介して軟便を移動させて、軟便が空間Ｓ１に入りきらずに肌側に漏れてしまう事態を防止することができる。また、空間Ｓの内、縮幅部１２に対応した空間Ｓ２，Ｓ３に小便が収容しきれない場合も、その前後の空間Ｓ４，Ｓ１に小便を移動させて、縮幅部１２からの所謂横漏れを防止できる。
【００５２】
本第２実施形態の吸収性製品９５は以上のように構成され、軟便や多量の小便については通過部２５で吸収体１９側に移動させ、少量の小便や排泄後に表面シート２０に残った体液については、連結部５０を介して、吸収体１９側に素早く移動させることができる。かくして、小便と軟便を問わず、排泄物が身体に触れることをより有効に回避して、排泄後の気持ち悪さやスキントラブルをより有効に回避できる。
【００５３】
ところで本発明は上記実施の形態に限定されるものではなく、上述の実施形態の個別の構成は、必要により省略したり、説明しない他の構成と組み合わせたりしてもよい。
例えば、上述した実施形態では尿便パッドを例示したが、パンツ式のおむつ等であってもよい。
また、本発明の通過部２５の数・種類・寸法も上述した実施形態に限れるものではなく、例えば図２の状態でスリットにしない場合は、幅の狭い長孔（直線状の孔だけではなく、例えば、曲がっている孔や、幅の狭い長円状・楕円形状・三角形状の孔、等も含まれる）が好ましく、或いは、スリットと長孔を組み合せて用いてもよい。
また、上記実施形態では、不存在領域３０を構成するカバーシートの一部２１Ａと表面シート２０の中央部２０Ｄとを接続しているが、表面シート２０と接続されるのは、ティッシュ１７の一部１７Ａであってもよく、或いは、吸収体１９の孔又は切り欠きにより不存在領域３０を形成したことで露出した防水シート１８であっても構わない。
また、第２実施形態の連結部５０は直接又は間接的に吸収体１９と繋がっていればよく、例えば、連結部５０を吸収体１９を包むティッシュに接続しても構わない。
【符号の説明】
【００５４】
１０，９０，９１，９２，９３，９４，９５・・・吸収性製品、１７・・・ティッシュ、１８・・・防水シート、１９・・・吸収体、２０・・・表面シート、２１・・・カバーシート、３３・・・浸透性部材、２５・・・通過部、２８・・・弾性部材、３０，４０，４２，４４，４５，４６・・・不存在領域、５０・・・連結部
【図１】
0006558903.tif 000002
【図２】
0006558903.tif 000003
【図３】
0006558903.tif 000004
【図４】
0006558903.tif 000005
【図５】
0006558903.tif 000006
【図６】
0006558903.tif 000007
【図７】
0006558903.tif 000008
【図８】
0006558903.tif 000009
【図９】
0006558903.tif 000010
【図１０】
0006558903.tif 000011
【図１１】
0006558903.tif 000012
【図１２】
0006558903.tif 000013
【図１３】
0006558903.tif 000014